(57)【要約】
【課題】  制限された内部の空間にコルゲーションを設置することにより、比較的大きいパフォーマンスを出力可能である薄型スピーカを提供する。
【解決手段】  薄型スピーカ１０は、座体２０、電磁ユニット３０及び振動板４０を備える。座体２０は上部が開放された収納室２１を有し、電磁ユニット３０は収納室２１内に設置され、少なくとも軛鉄３１、磁石３４、ポールピース３５及びボイスコイル３６を有する。振動板４０は周縁が座体２０の収納室２１の周縁に連接され、振動板４０の中心部には断面が波状を呈するコルゲーション４１があり、電磁ユニット３０のボイスコイル３６は振動板４０の収納室２１と向かい合う側面に設置され、且つコルゲーション４１の外周縁に連接され、コルゲーション４１は中央が電磁ユニット３０に固定される。
【選択図】    図１
0003100833.tif 000002
【実用新案登録請求の範囲】
【請求項１】
上部が開放された収納室を有する座体と、
収納室内に設置され、少なくとも軛鉄、磁石、ポールピース及びボイスコイルを有する電磁ユニットと、
周縁が座体の収納室の周縁に連接され、中心部には断面が波状を呈するコルゲーションを有する振動板であって、電磁ユニットのボイスコイルが振動板の収納室と向かい合う側面に設置され、且つコルゲーションの外周縁に連接され、コルゲーションは中央が電磁ユニットに固定される振動板と、
を備えることを特徴とするコルゲーションを有する薄型スピーカ。
【請求項２】
振動板の上方を覆い且つ周縁が座体に接合されるカバーを備え、カバー上には若干の音声孔があることを特徴とする請求項１に記載のコルゲーションを有する薄型スピーカ。
【請求項３】
コルゲーションは、中央が電磁ユニットのポールピース上に固定されることを特徴とする請求項１に記載のコルゲーションを有する薄型スピーカ。
【請求項４】
電磁ユニットはボイスコイルに対応する内部位置に設置されるセンターポールを有し、コルゲーションは中央がセンターポールに固定されることを特徴とする請求項１に記載のコルゲーションを有する薄型スピーカ。
【請求項５】
上部が開放された収納室を有する座体と、
座体の上方に設置され、若干の音声孔を有するカバーと、
収納室内に設置され、少なくとも軛鉄、磁石、ポールピース及びボイスコイルを有する電磁ユニットと、
周縁が座体の収納室の周縁に連接され、中心部には断面が波状を呈するコルゲーションを有する振動板であって、電磁ユニットのボイスコイルが振動板の収納室と向かい合う側面に設置され、且つコルゲーションの外周縁に連接され、コルゲーションの中央がカバーの内面に固定される振動板と、
を備えることを特徴とするコルゲーションを有する薄型スピーカ。
【請求項６】
コルゲーションは、振動板と一体成形されていることを特徴とする請求項１又は５に記載のコルゲーションを有する薄型スピーカ。
【請求項７】
コルゲーションは振動板と材質が異なり、振動板は環状を呈し、コルゲーションは外周縁が振動板の内周縁に連接されることを特徴とする請求項１又は５に記載のコルゲーションを有する薄型スピーカ。
【考案の詳細な説明】
【技術分野】
【０００１】
本考案は、薄型スピーカに関し、特にコルゲーションを有する薄型スピーカに関するものである。
【背景技術】
【０００２】
図４に示すように、よく見かけられるダイナミック（ｄｙｎａｍｉｃ）なスピーカ９０は、円錐状を呈する座体９１と、座体９１の底面に設置される上ポールピース９２と、上ポールピース９２の底面に設置される環状磁石９３と、磁石９３の底面に設置される下ポールピース９４と、磁石９３の中央に位置するように下ポールピース９４に設置されるセンターポール９５と、環状を呈し外周縁が座体９１の内側の最上縁部に連接される振動板９６と、磁石９３とセンターポール９５の間に設置され最上端部が振動板９６の内周縁に連接されるボイスコイル９７と、振動板９６の内側に設置され、断面が波状を呈する環状スラットであって外周縁が座体９１に設置され、内周縁がボイスコイル９７と振動板９６が互いに連接する所に設置されるコルゲーション９８と、振動板９６の外側の中心に設置される防塵カバー９９とを備える。
【０００３】
ボイスコイル９７が通電されると、生じた電磁効果により、ボイスコイル９７は振動板９６及びコルゲーション９８と共振して音を出し、電流が増加するのにともない、ボイスコイル９７と振動板９６の共振幅も増加する。このとき、弾性のあるコルゲーション９８を連接することにより、ボイスコイル９７により生じる異常な振動を減少させることができ、即ちボイスコイル９７と振動板９６の共振を比較的に安定させるとともに、スピーカ９０に比較的大きいパフォーマンスを出力させることが可能である。
【考案の開示】
【考案が解決しようとする課題】
【０００４】
しかし、前述のコルゲーションの構造は大型スピーカにしか適用されていない。携帯式電子製品によく採用されている薄型スピーカの場合、構造上の制限があるため、内部の空間が比較的狭く、欠くことのできない振動板及び電磁ユニットの他に、前述通りにコルゲーションをスピーカの内部に設置することが不可能である。したがって、薄型スピーカは比較的大きいパフォーマンスを出力することが不可能である。
【０００５】
本考案の目的は、制限された内部の空間にコルゲーションを設置することにより、比較的大きいパフォーマンスを出力可能である薄型スピーカを提供することにある。
【課題を解決するための手段】
【０００６】
上述の目的を達成するために、本考案による薄型スピーカは、座体、電磁ユニット及び振動板を備える。座体は上部が開放された収納室を有し、電磁ユニットは収納室内に設置され、少なくとも軛鉄、磁石、ポールピース及びボイスコイルを有する。振動板は周縁が座体の収納室の周縁に連接され、振動板の中心部には断面が波状を呈するコルゲーションがあり、電磁ユニットのボイスコイルは振動板の収納室と向かい合う側面に設置され、且つコルゲーションの外周縁に連接され、コルゲーションは中央が電磁ユニットに固定される。
【考案を実施するための最良の形態】
【０００７】
以下、本考案の実施例を図面に基づいて説明する。
図１に示すように、本考案の第一実施例によるコルゲーションを有する薄型スピーカ１０は、座体２０、電磁ユニット３０及び振動板４０を備える。
座体２０は、最上面から下向きに凹む収納室２１を有する。
電磁ユニット３０は、座体１０の収納室２１内に設置され、軛鉄３１、磁石３４、ポールピース３５及びボイスコイル３６から構成されるものである。軛鉄３１は収納室２１の底部に設置され、円形の底板３２と、底板３２の縁部から上向きに延伸する環状側壁３３とを有し、磁石３４は円柱状を呈し、軛鉄３１の底板３２の最上面の中央に設置され、ボイスコイル３６は磁石３４と軛鉄３１の側壁３３との間に設置される。
【０００８】
振動板４０は、弾力性のある材料から構成され、中心部には一体成形されるコルゲーション４１を有し、コルゲーションの断面が波状を呈する。振動板４０は周縁が座体２０の収納室２１の最上端に近い位置に連接され、コルゲーション４１は中心が下向きに、接着方式（温圧又は超音波接合方式）により、電磁ユニット３０のポールピース３５の最上面に固定される。電磁ユニット３０のボイスコイル３６は頂部がコルゲーション４１の外縁に連接される。
【０００９】
上述の構造により、電磁ユニット３０が通電されると、ボイスコイル３６は電磁効果により駆動されて上下に振動し、振動板４０を駆動し共振させ、音を出す。電流が増加した場合、弾性を有するコルゲーション４１がボイスコイル３６上に連接されるため、ボイスコイル３６と振動板４０は共振する時にコルゲーション４１とともに安定に振動可能であり、異常な振動を減少させることができる。したがって、本実施例は、制限された内部の空間にコルゲーションの構造を設置することにより、比較的大きいパフォーマンスを出力可能である。
【００１０】
図２に示すように、本考案の第二実施例によるコルゲーションを有する薄型スピーカ５０は、構造が第一実施例によるスピーカ１０とほぼ同じであり、座体５１と、座体５１内に設置される電磁ユニット５２と、座体５１の最上縁部に連接され、中央部にコルゲーション５４を形成する振動板５３とを備える。特徴としては、若干の音声孔５６を有するカバー５５を有し、カバー５５は座体５１の最上面に設置され、振動板５３のコルゲーション５４は中心が上向きに延伸しカバー５５の内側面に固定される。
【００１１】
また、本考案は様々なスピーカ、例えば円形、四角形、楕円形、内磁気式、外磁気式などのスピーカに適用可能である。
図３に示すように、本考案の第三実施例によるコルゲーションを有する薄型スピーカ６０は、主な構造が第一実施例によるスピーカ１０とほぼ同じであり、座体６１内には電磁ユニット６２及び振動板６３を有する。特徴としては、電磁ユニット６２の磁石６４は環状を呈しボイスコイル６５の外周に設置され、電磁ユニット６２はボイスコイル６５の内部に設置されるセンターポール６６を有し、振動板６３のコルゲーション６７は中心がセンターポール６６に固定される。これによって、比較的大きいパフォーマンスを出力する目的に達する。
【００１２】
本考案は、出力のパフォーマンスの範囲を選択可能とし、生産のプロセスに柔軟性があるようにするために、前述の振動板とコルゲーションを一体成形する方式のほかに、振動板及びコルゲーションの材質が異なる条件下で、コルゲーションを振動板の中央に固定する方式を採ることもできる。その場合も、前述と同じ効果を達成可能である。
【図面の簡単な説明】
【００１３】
【図１】本考案の第一実施例による薄型スピーカを示す断面図である。
【図２】本考案の第二実施例による薄型スピーカを示す断面図である。
【図３】本考案の第三実施例による薄型スピーカを示す断面図である。
【図４】従来のスピーカを示す断面図である。
【符号の説明】
【００１４】
１０、薄型スピーカ、２０  座体、２１  収納室、３０  電磁ユニット、３１  軛鉄、３２  底板、３３  側壁、３４  磁石、３５  ポールピース、３６  ボイスコイル、４０  振動板、４１  コルゲーション、５０  薄型スピーカ、５１  座体、５２  電磁ユニット、５３  振動板、５４  コルゲーション、５５  カバー、５６  音声孔、６０  薄型スピーカ、６１  座体、６２  電磁ユニット、６３  振動板、６４  磁石、６５  ボイスコイル、６６  センターポール、６７  コルゲーション
【図１】
0003100833.tif 000003
【図２】
0003100833.tif 000004
【図３】
0003100833.tif 000005
【図４】
0003100833.tif 000006